(57)【要約】【課題】現在時刻から所定の時間経過後又は同時刻に観た前週の番組のチャンネル番号に即座に切り替えて、所望の番組を視聴することができるテレビジョン装置を提供する。【解決手段】１０ｃｈの視聴が終了し、８：５５となった時に、ユーザは、９：００からスタートする所望する番組にチャンネルを切り替えるべく、リモコン２１に設けられている前週の番組のチャンネルデータを呼び出すためのキー（以下、ＬＡＳＴＷＥＥＫキーと呼ぶ）を押したとすると、制御部１７の前週視聴チャンネル呼出手段は、確実に、観たい番組を選択するために、メモリ１８のアドレスＡ６に記憶されている現時刻からＴ１（例えば＋１５分）後の時刻のチャンネルアドレスデータ（４ｃｈ）を読みだし、ＴＶ画面を１０ｃｈから４ｃｈに切り替える。【選択図】図２
2007158781.tif 000002
【特許請求の範囲】
【請求項１】
過去１週間の間に視聴した番組のチャンネル番号と、視聴開始時刻と、視聴時間及びその他前記視聴した番組に関する情報を１日ごとに区切って記憶するメモリと、
前記メモリから前週視聴した前記番組のチャンネル番号を含む情報を引き出すための読み出しキーを備えたリモコンと、
前記メモリに記録された前記前週視聴した前記番組のチャンネル番号の内、前記リモコンの前記読み出しキーが押された時刻から所定の時間経過後の時刻に記録されている前記番組のチャンネル番号を引き出す前週視聴チャンネル呼出手段を有するとともに、装置全体の制御をも司る制御部と、を備え、
前記読み出しキーが押された時、前記前週視聴チャンネル呼出手段により、前記メモリから引き出された前記番組のチャンネルに即座に切り替えるようにしたことを特徴とするテレビジョン装置。
【請求項２】
さらに、前記制御部は、前記リモコンに設けられている通常のチャンネル変更キーやその他のキーが押され、チャンネルを切り替えた時に、該チャンネルの番号と、視聴開始時刻を一時的に、ワークメモリに記憶し、再度、チャンネルの切り替えが行われた時点で、前記ワークメモリに記憶した視聴開始時刻と現時点の時刻を比較し、所定の時間経過して視聴したことを判定した場合、前記メモリに該チャンネル番号と、該視聴開始時刻と、視聴時間及びその他の情報を記録する前週視聴チャンネル記憶手段を備えたことを特徴とする請求項１に記載のテレビジョン装置。
【請求項３】
前記前週視聴チャンネル呼出手段は、前記リモコンの前記読み出しキーが一定の時間以内に続けて押された場合には、前記所定の時間よりも短い時間経過後の時刻又は前記読み出しキーが押された時刻と同時刻に記録されている前記番組のチャンネル番号を引き出すようにしたことを特徴とする請求項１に記載のテレビジョン装置。
【請求項４】
前記前週視聴チャンネル記憶手段は、日付が替わった場合でも、電源をＯＦＦせずに、続けて同じ番組を観続けた場合には、前日の番組が午後２４：００に視聴終了したとみなし、観ていた時間が前記所定の時間経過したか否かを判定した後、前記メモリに該番組のチャンネル番号と、視聴開始時刻と、視聴時間及びその他の情報を記憶するか否かを決定するとともに、本日の番組が午前０：００に視聴開始したとみなし、前記前日の番組のチャンネル番号と、開始時間を一時的に前記ワークメモリに記憶することを特徴とする請求項２に記載のテレビジョン装置。
【発明の詳細な説明】
【技術分野】
【０００１】
本発明は、前週に視聴したチャネル番号を呼び出す機能を有するテレビジョン装置に関する。
【背景技術】
【０００２】
近時、衛星放送やケーブルＴＶ等によるＴＶ多チャンネル時代を向かえ、ユーザは、自分の所望する番組を観る場合に、多数のチャンネルの中からその番組を選ぶ必要がある。
【０００３】
上記のような多数のチャンネルの中から希望の番組を選ぶ際に、通常、ユーザは、毎週観る番組が決まっていることが多い。
【０００４】
従って、前週の同じ時刻頃に観た番組のチャンネル番号を選択する可能性が高い。
【０００５】
しかし、上記のような状況下であっても、従来では、電源ＯＮ時のチャンネル番号は、最後に電源をＯＦＦしたときのチャンネル番号となっており、ユーザは、ユーザ自身が観たい番組のチャンネル番号を知らない場合には、前週観た番組のチャンネル番号とは、無関係にリモコンによるチャンネル切り替え操作を繰り返して、最終的に、その希望する番組のチャンネルを選択していた。
【０００６】
また、その他のチャンネル番号の選択方法として、下記に記載の特許文献１に開示されているような電子番組表、テレビ番組誌、その他ユーザのメモ等からその所望する番組のチャンネル番号を取得し、リモコン等からそのチャンネル番号を入力し、そのチャンネルに切り替えて番組を選択する方法が採られている。
【特許文献１】特願２０００−５８６１０１号公報
【発明の開示】
【発明が解決しようとする課題】
【０００７】
しかしながら、従来の方法では、上記説明したように、自分が観たい番組のチャンネル番号を覚えていないと、目的のチャンネルを選択するまで１チャンネル毎に切り替えていかなければならないため操作に時間を要し、不便である。
【０００８】
また、上記電子番組表等の手段によって、目的のチャンネル番号が得られたとしても、ユーザにより現在の曜日、時間の番組表等を調べて初めて、得られるものであり、そのチャンネル番号を見つけるまでに、上記と同様に、時間を要するとともに、得られた情報が不正確に成りやすく、所望する番組を視聴することが可能になるまでに、さらに時間を要する原因ともなり得る。
【０００９】
そこで、本発明は、斯かる実情に鑑み、創案したものであり、現在時刻から所定の時間経過後又は同時刻に観た前週の番組のチャンネル番号に即座に切り替えて、所望の番組を視聴することができるテレビジョン装置を提供することを目的としたものである。
【課題を解決するための手段】
【００１０】
本発明に係るテレビジョン装置は、上述した目的を達成するために、以下の特徴を備えている。
【００１１】
すなわち、本発明に係るテレビジョン装置は、過去１週間の間に視聴した番組のチャンネル番号と、視聴開始時刻と、視聴時間及びその他前記視聴した番組に関する情報を１日ごとに区切って記憶するメモリと、前記メモリから前週視聴した前記番組のチャンネル番号を含む情報を引き出すための読み出しキーを備えたリモコンと、前記メモリに記録された前記前週視聴した前記番組のチャンネル番号の内、前記リモコンの前記読み出しキーが押された時刻から所定の時間経過後の時刻に記録されている前記番組のチャンネル番号を引き出す前週視聴チャンネル呼出手段を有するとともに、装置全体の制御をも司る制御部と、を備え、前記読み出しキーが押された時、前記前週視聴チャンネル呼出手段により、前記メモリから引き出された前記番組のチャンネルに即座に切り替えるようにしたことを特徴とする。
【００１２】
また、本発明に係るテレビジョン装置において、さらに、前記制御部は、前記リモコンに設けられている通常のチャンネル変更キーやその他のキーが押され、チャンネルを切り替えた時に、該チャンネルの番号と、視聴開始時刻を一時的に、ワークメモリに記憶し、再度、チャンネルの切り替えが行われた時点で、前記ワークメモリに記憶した視聴開始時刻と現時点の時刻を比較し、所定の時間経過して視聴したことを判定した場合、前記メモリに該チャンネル番号と、該視聴開始時刻と、視聴時間及びその他の情報を記録する前週視聴チャンネル記憶手段を備えたことを特徴とする。
【００１３】
また、本発明に係るテレビジョン装置において、前記前週視聴チャンネル呼出手段は、前記リモコンの前記読み出しキーが一定の時間以内に続けて押された場合には、前記所定の時間よりも短い時間経過後の時刻又は前記読み出しキーが押された時刻と同時刻に記録されている前記番組のチャンネル番号を引き出すようにしたことを特徴とする。
【００１４】
また、本発明に係るテレビジョン装置において、前記前週視聴チャンネル記憶手段は、日付が替わった場合でも、電源をＯＦＦせずに、続けて同じ番組を観続けた場合には、前日の番組が午後２４：００に視聴終了したとみなし、観ていた時間が前記所定の時間経過したか否かを判定した後、前記メモリに該番組のチャンネル番号と、視聴開始時刻と、視聴時間及びその他の情報を記憶するか否かを決定するとともに、本日の番組が午前０：００に視聴開始したとみなし、前記前日の番組のチャンネル番号と、開始時間を一時的に前記ワークメモリに記憶することを特徴とする。
【発明の効果】
【００１５】
本発明に係るテレビジョン装置は、上述したような手段を備えているため、以下の効果を奏することができる。
【００１６】
本発明に係るテレビジョン装置によれば、１週間分の視聴した番組のチャンネル番号、視聴開始時間、視聴時間、その他情報をメモリ内に記憶しておくことで、リモコンに設けられている読み出しキーを押した時点で、前週の現時点のチャンネルに即座に切り替えることができ、ユーザの操作の不便性を解消可能となる。
【００１７】
また、本発明に係るテレビジョン装置によれば、所定時間観た番組についての情報をメモリに記憶することで、短時間に観た番組の記憶を避けることが可能で、より信頼性のあるチャンネルに切り替えを行うことが可能となる。
【００１８】
また、本発明に係るテレビジョン装置によれば、読み出しキーを押しても、所望の番組に切り替えられない場合でも、連続して読み出しキーを押すことにより、現時刻からの所定時間を変更し、読み出し時刻を替えて、番組が細かく記録されている場合でも対処することができ、所望する番組を選択することが可能である。
また、本発明に係るテレビジョン装置によれば、日付が替わったとしても、その時間帯に対して、前週の現時点のチャンネルに切り替える際に、アクセスができない不連続な領域がないようにすることが可能である。
【発明を実施するための最良の形態】
【００１９】
以下、本発明に係るテレビジョン装置の実施形態について添付図面を参照して詳細に説明する。
【００２０】
なお、各図中、同一の符号を付した部分は、同一又は同等の構成要素を表している。
【００２１】
まず、図１及び図２を用いて、本発明の基本概念、基本構成及び動作について、以下に説明する。
【００２２】
図１は、本発明に係るテレビジョン装置の基本ブロック図である。また、図２は、本発明に係るテレビジョン装置の基本動作を説明する説明図である。
【００２３】
図１に示すように、本発明に係るテレビジョン装置は、放送波を受信するアンテナ１０と、受信した受信信号から所望する受信信号を選択するチューナ１１と、選択された受信信号を検波・復調する検波回路１２と、音声を処理する音声処理回路１３と、音声処理回路１３からの音声信号を音声に変換するスピーカ１４と、検波回路１２からの映像信号を処理する映像処理回路１５と、処理された映像信号を表示する表示部１６と、を備えており、これらの構成要素は、一般的なテレビジョン装置の基本的な構成要素である。
【００２４】
さらに、前週の現時点で視聴していたチャンネルを呼び出すキーを備えているリモコン２１と、リモコン２１の受光信号を受信する受光回路２０と、リモコン２１からの信号が前週視聴したチャンネル番号を呼び出すキーからの要求信号であった場合、前週視聴したチャンネル番号を呼び出す前週視聴呼出手段と、現在視聴している番組の視聴時間が所定の時間を越えている場合に、このチャンネル番号を前週視聴チャンネルとして記憶する前週視聴チャンネル記憶手段と、を備える本装置全体の制御を行う制御部（マイコン）１７と、一週間分のチャンネル番号等の情報を常時更新しながら記憶するメモリ１８と、日付・時刻情報を制御部１７に出力する時計部１９と、を備えて構成され、本発明に係る部分の中心的な構成要素となっている。
【００２５】
次に、上記構成となっているテレビジョン装置の前週視聴チャンネル呼び出し機能及び前週視聴チャンネル記憶機能の動作について、図２及び図３に基づいて説明する。
【００２６】
前週視聴チャンネル呼び出し機能及び前週視聴チャンネル記憶機能の動作について説明する前に事前に、メモリ１８のマップについて説明しておく。
【００２７】
図３は、メモリ１８の論理メモリマップを示す図である。
【００２８】
図３に示すＡ０〜Ａ６は、メモリ１８の論理アドレスを示しており、アドレスＡ０に本日記憶されたチャンネルデータ等が格納されている。続いてＡ１、Ａ２・・・Ａ６が過去６日間に記憶されたチャンネルデータが格納されているアドレスである。ちなみに、Ａ６が前週のチャンネルデータを格納しているアドレスであり、図２の項目Ａに、前週格納されたチャンネルデータが示されており、項目Ｄには、本日記憶された時系列のチャンネルデータが示されている。
【００２９】
メモリ１８の論理アドレス内のデータ構成として、図３の例では、チャンネルデータに関するヘッダ（Ｈ０〜Ｈ６）を記憶するヘッダ部と、チャンネルデータを記憶するチャンネルデータ部から成る構成を示している。ヘッダ部（Ｈ０からＨ６）には、例えば、各チャンネルデータが切り替わる時刻、そのチャンネルの実際の視聴時間、その他必要な情報の書き込みが行われ、ヘッダ部の横の欄のチャンネルデータ部には、その日の１日分のチャンネルデータが書き込まれる。
【００３０】
図３の例では、チャンネルデータ２ｃｈ、６ｃｈ、４ｃｈ、８ｃｈが、順に記憶されていることを示している。
【００３１】
本実施形態では、ヘッダ部とチャンネルデータ部を分けて、記録する形式を示しているが、ヘッダ部とチャンネルデータ部を１つの組にして記憶するような形式であってもよい。
【００３２】
日付が替わると、アドレスＡ５に入っているチャンネルデータ等をＡ６に入れ、アドレスＡ４に入っているチャンネルデータ等をＡ５に入れる。以下同様に、データに入れ替わりが行われ、アドレスＡ０の内容は、日付が替わった午前０：００以降のチャンネルデータが記憶されることになる。
【００３３】
また、日付が替わった場合でも引き続き、同じ番組を観ている場合には、アドレスＡ１のチャンネル部に記憶されている最後のチャンネルデータをアドレスＡ０のチャンネル部の最初に記憶することによって、メモリの内容が入れ替わっても、チャンネルデータの不連続な部分が存在しないようにする。
【００３４】
次に、図２に基づいて、概略の動作について、以下に説明する。
【００３５】
図２に示すように、項目Ａ（一週間前に記憶されたチャンネルデータの時系列）、項目Ｂ（ユーザのリモコン操作の時系列）、項目Ｃ（実際に表示されているＴＶ画面のチャンネルの時系列）、最後に、項目Ｄ（本日、記録されたチャンネルデータの時系列）の順に最上部の時間軸に対応して各動作を示している。
【００３６】
ユーザのリモコン操作の時系列を示す項目Ｂを中心に説明を続ける。
【００３７】
まず、７：００少し過ぎに、ユーザにより（１）電源がＯＮとなると、制御部１７の前週視聴チャンネル呼出手段は、時計部１９からの時刻を取得し、この取得した時刻とメモリ１８のアドレスＡ６のヘッダ部に記録されている時刻とを比較して、同時刻のチャンネルデータ、ここでは、２ｃｈをアドレスＡ６から読み出して、自動的に、チューナ１１に対して、２ｃｈとなるように選局する。一方、前週視聴チャンネル記憶手段は、上記選局終了後に、現在受信中の２ｃｈのチャンネルデータ及び現時刻を一時的にワークメモリ（制御部のＣＰＵによりアクセスするメモリ；図示していない）に記録しておき、他のキー入力又は電源ＯＦＦの入力等があったとき、この２ｃｈが所定の時間（Ｔ＝５分）以上観ていたと判断されると、一時的に記憶されていた２ｃｈのチャンネルデータと時刻データをアドレスＡ０のヘッダ部及びチャンネルデータ部に記憶する。
【００３８】
次に、図３に示すように、８：００少し手前あたりで、リモコン２１の通常のチャンネル選択キーが押されることによって、チャンネル変更が行われている。図３に示す例では、２ｃｈから８ｃｈ、８ｃｈから４ｃｈ、そして、４ｃｈから１０ｃｈに変更している。
【００３９】
このような場合において、チャンネル切り替え後、所定の時間（Ｔ）以内に別のチャンネルに切り替えた場合は、ＴＶ画面は８ｃｈ、４ｃｈに切り替わるが、切り替えたチャンネルデータ（４，８ｃｈ）は、メモリ１８のアドレスＡ０には記録されない。
【００４０】
これは、コマーシャル中などにチャンネルを切り替えて、短時間（例えば、５分間以内）他の番組を観たとしてもデータとして残す必要はないためである。
【００４１】
一方、最後のチャンネル（１０ｃｈ）を所定時間越えて視聴した場合に、チャンネル変更キー等のその他のキーが押された時点で、チャンネルデータ（１０ｃｈ）及び実際の視聴時間がアドレスＡ０のヘッダ部に書き込まれる。これにより、この日のこの時刻では、前週とは異なり、６ｃｈから１０ｃｈにユーザの嗜好が変化したとして、この変化に対応することができる。
【００４２】
なお、１０ｃｈのスタート時刻は、図３では、４ｃｈ→１０ｃｈへの変更時を１０ｃｈのスタート時刻としている。
【００４３】
また、１０ｃｈのスタート時刻を２ｃｈ→８ｃｈへの変更時としてもよいし、８ｃｈ→４ｃｈの変更時としてもよい。
【００４４】
次に、１０ｃｈの視聴が終了し、８：５５となった時に、ユーザは、９：００からスタートする所望する番組にチャンネルを切り替えるべく、リモコン２１に設けられている前週の番組のチャンネルデータを呼び出すためのキー（以下、ＬＡＳＴＷＥＥＫキーと呼ぶ）を押したとすると、制御部１７の前週視聴チャンネル呼出手段は、確実に、観たい番組を選択するために、メモリ１８のアドレスＡ６に記憶されている現時刻からＴ１（例えば＋１５分）後の時刻のチャンネルアドレスデータ（４ｃｈ）を読みだし、ＴＶ画面を１０ｃｈから４ｃｈに切り替える。この動作終了後、制御部１７の前週視聴チャンネル記憶手段は、ＬＡＳＴＷＥＥＫキーを押した時点の時刻８：５５及びチャンネルデータ（４ｃｈ）を一時的に記憶し、実際に視聴したチャンネルか否かを判定するデータとして保存しておく。
【００４５】
このように、ＬＡＳＴＷＥＥＫキーを用いて、即座に前週の同じ時刻の番組に切り替えることができるとともに、メモリに現在視聴するチャンネルデータを記憶し、次の週の準備を行うことができる。
【００４６】
ここで、ＬＡＳＴＷＥＥＫキーを押した時点からＴ１後の時刻のチャンネルデータを呼び出すようにしたのは、前の番組（ここでは、１０ｃｈ）が終わった後、数分間のコマーシャル等を経て次の番組（ここでは、４ｃｈ）が始まるのが一般的であるため、前の番組の終了と同時にＬＡＳＴＷＥＥＫキーを押しても、目的のチャンネルに切り替えることができるようにしたものである。
【００４７】
また、上記のように、例えば、１５分ではなく、５分後や同時刻のチャンネルデータに合わせたい場合がある。例えば、５分間隔ごとにチャンネルデータが記録されている場合や９：００スタートの番組で、番組終了前１５分ごろＬＡＳＴＷＥＥＫキーを押さざる得ない場合等のケースが考えられる。このように、ＬＡＳＴＷＥＥＫキーを続けて数回押すことで、遅延時間を変化させることによって、容易に目的のチャンネルに切り替えることが可能となる。
【００４８】
また、切り替えの種類は、３つ程度あればよく、サイクリック的動作するものとする。
【００４９】
最後に、電源をＯＦＦとした場合には、ＯＦＦとなった時刻とそのときの前週のチャンネルデータをメモリ１８のアドレスＡ６から読み込んで、アドレスＡ０に保管する。
【００５０】
なお、ＯＦＦとなった時刻に前週のチャンネルデータが存在しない場合は、アドレスＡ０には記録しない。
【００５１】
以上の概略動作説明を踏まえて、前週視聴チャンネル呼出処理及び前週視聴チャンネル記憶処理の動作を図４〜図８のフロー図を用いて詳細に説明する。
【００５２】
図４は、ユーザ操作によるキー入力に対応するキー処理を含むメインルーチンのフロー図である。
【００５３】
まず、初期値のリセットを行う。１つは、現在観ている番組の視聴時間を表すタイマー（ＴＩＭＥＲ）を「０」にリセットと、ＴＩＭＥＲの値が所定値以上か否かを判断するための時間Ｔをセットする（ステップＳ１０）。ここでは、Ｔを５分に設定する。
【００５４】
ステップＳ１１、１３、１５、１７、１９は、それぞれのキー入力の種別を判定する処理であり、この判定処理により所定の入力キーであることが判定された場合、各キー処理が行われる（ステップＳ１２、１４，１６、１８及び２０）。
【００５５】
ステップＳ１７は、日付が替わったかどうかを判定する処理であり、日付が替わったと判定されると、メモリ１８の内容を更新する処理を行う（ステップＳ２０）。
【００５６】
以下、各ステップＳ１２、１４、１６、１８、２０の処理の内容を具体的に説明する。
【００５７】
図５は、電源ＯＮ／ＯＦＦ処理を示すフロー図である。
【００５８】
電源ＯＮ／ＯＦＦキーが押され、電源ＯＮであると判定されると（ステップＳ２１）、制御部１７は、本体の電源をＯＮにする指令を出すとともに、制御部１７の前週視聴チャンネル呼出手段は、前週のチャンネルデータを記憶しているメモリ１８のＡ６から現在の時刻と同時刻のチャンネルデータを読み出し、そのチャンネルデータに選局する（ステップＳ２２）。
【００５９】
制御部１７の前週視聴チャンネル記憶手段は、現在選局したチャンネルデータがメモリ１８に記録すべきチャンネルデータであるかを判断するための準備として、現在受信中の受信ＣＨデータを変数データＣＨ−Ｓとしてワークメモリに一時記憶するとともに、現在の時刻を変数データ（時刻―Ｓ）として一時記憶する（ステップＳ２３）。
【００６０】
さらに、制御部１７は、タイマー（ＴＩＭＥＲ）及びＬＡＳＴＷＥＥＫキーの回数データＮ（後述する）をリセットし、ＴＩＭＥＲをスタートさせる（ステップＳ２３）。
【００６１】
一方、ステップＳ２１において、キー情報が電源ＯＦＦである場合（ステップＳ２１；ＮＯ）、ＴＩＭＥＲと比較値Ｔとを比較し（ステップＳ２５）、所定の時間Ｔを越えて、現在のチャンネルを観ていた判定すると（ステップＳ２５；ＹＥＳ）、このチャンネルを観たスタート時点の時刻（時刻―Ｓ）とこのチャンネルデータ（ＣＨ−Ｓ）をメモリ１８のアドレスＡ０に記憶する（ステップＳ２６）。この処理により、１週間後に同じ時刻の同じチャンネルデータを読み出すことができる。
【００６２】
一方、電源をＯＦＦする場合に、現時点で、所定の時間を超えて、観たチャンネルがない場合には（ステップＳ２５；ＮＯ）、現時刻及びメモリ１８のＡ６に現時刻と同時刻に記憶されているチャンネルデータをＡ０に記憶する（ステップＳ２７）。ここで、同時刻に記憶されているチャンネルデータが存在しない場合には、チャンネルデータは記録しない。
【００６３】
最後に、後述するＬＡＳＴＷＥＥＫキーの回数データＮをリセットして（ステップＳ２８）、本処理を終了する。
【００６４】
次に、図４で示したステップＳ１４の処理について説明する。
【００６５】
図６は、通常のチャンネル切り替えキーの入力処理を示すフロー図である。
【００６６】
ＣＨキーが入力した時点で、所定に時間Ｔを越えて、観ているチャンネルがあった場合（ステップＳ３０；ＹＥＳ）、ＣＨキーを含むその他のキーによって、そのチャンネルの視聴開始時点の時刻―ＳとＣＨ−Ｓをメモリ１８の現在のアドレスＡ０に記憶する（ステップＳ３１）。
【００６７】
そして、ＣＨキーで押されてＣＨデータに選局する（ステップＳ３２）。選局された受信チャンネルデータをＣＨ−Ｓとして一時記憶するとともに、現時刻も時刻―Ｓとして一時記憶する（ステップＳ３３）。
【００６８】
また、時間Ｔを越えるチャンネルデータがない場合には（ステップＳ３０；ＮＯ）、ステップＳ３２に移行する。
【００６９】
最後に、図５のステップＳ２８と同様に、ＬＡＳＴＷＥＥＫキーの回数データＮ、タイマーをクリアして、現在選局されたチャンネルデータの視聴時間を判定するために、タイマーをスタートさせ（ステップＳ３４）、本処理を終了する。
【００７０】
次に、図４に示したステップＳ１６の処理について説明する。
【００７１】
図７は、ＬＡＳＴＷＥＥＫキーが入力された場合の処理を示すフロー図である。
【００７２】
ＬＡＳＴＷＥＥＫキーが押される以前にＬＡＳＴＷＥＥＫキーを含む他のキーにより、視聴が開始され、メモリ１８のＡ０に記憶すべきチャンネルデータが存在するかどうかの判定を行う（ステップＳ４０）。即ち、タイマーの値が所定の時間Ｔより大きいか否かを判定する。
【００７３】
上記チャンネルデータが存在したと判定された場合には（ステップＳ４０；ＹＥＳ）、事前にワークメモリに記憶されていたＣＨ−Ｓと時刻―ＳをメモリのアドレスＡ０に記憶する（ステップＳ４１）。
【００７４】
ステップＳ４２は、ＬＡＳＴＷＥＥＫキーを押した回数を示すデータＮをカウントアップすることで、現在のＮの値を保持する。
【００７５】
ステップＳ４０において、上記チャンネルデータがない場合（ステップＳ４０；ＮＯ）には、上記ステップＳ４２に移行する。
【００７６】
ステップＳ４３、４５、４７においてＮ＝１、２、３であるか否かを判定する。
【００７７】
Ｎ＝１の場合には、現在の時刻より１５分先に記憶されているチャンネルデータをメモリ１８のＡ６から読み出して、そのチャンネルデータに選局する（ステップＳ４４）。
【００７８】
また、Ｎ＝２の場合には、現在の時刻より５分先に記憶されているチャンネルデータをメモリ１８のＡ６から読み出して、そのチャンネルデータに選局する（ステップＳ４６）。
【００７９】
さらに、Ｎ＝３の場合には、現在の時刻と同時刻に記憶されているチャンネルデータをメモリ１８のＡ６から読み出して、そのチャンネルデータに選局し、Ｎ＝１からスタートするように、データＮの値をリセットする（ステップＳ４８）。
【００８０】
最後に、上記それぞれのステップで選択した受信ＣＨデータをＣＨ−Ｓとしてワークメモリに一時記憶する。また、現在の時刻を時刻―Ｓとして同様に一時記憶する。そして、タイマーをリセットした後、タイマーをスタートさせ、本処理を終了する（ステップＳ４９）。
【００８１】
最後の処理として、図４に示したステップＳ２０の処理について説明する。
【００８２】
図８は、日付が替わった場合の処理を示すフロー図である。
【００８３】
チャンネルデータを記憶するメモリ１８は、１週間分の記憶容量があればよい。そのために、日付が替わった時に、メモリの内容を以下のように変更する。
【００８４】
メモリ１８のアドレスＡ６（以下、アドレスの記載は省略する）の内容をクリア後、Ａ５の内容をＡ６に移す。Ａ５の内容をクリア後、Ａ４の内容をＡ５に移す。以下同様に、Ａ１の内容をクリア後、Ａ０の内容をＡ１に移す（ステップＳ５０）。
【００８５】
日付が替わっても電源をＯＦＦせずに続けて同じ番組を観ているか否かを判定し（ステップＳ５１）、観ていなければ（ステップＳ５１；ＮＯ）、そのまま、本処理を終了する。
【００８６】
一方、電源をＯＦＦせずに同じＣＨを観ている場合には（ステップＳ；ＮＯ）、以下のような処理を行う。
【００８７】
Ａ１の最後のチャンネルデータは、ＰＭ２４：００に終了したものとして、記録される。Ａ０の最初のチャンネルデータは、ＡＭ０：００からスタートしたものとみなし、時刻データをＡＭ０：００とし、時刻―Ｓとして一時的ワークメモリに保存する。そして、Ａ０の最初のチャンネルデータは、Ａ１の最後のチャンネルデータとし、時刻データと同様に一時的にＣＨ−Ｓとしてワークメモリに保存する。前述したように、ＣＨキー等のキー操作が行われた時に、正式にＡ０の最初のチャンネルデータとして記録される。
【００８８】
このようにして、日付が替わったとしても、チャンネルデータの不連続が生じないようにしている。
【００８９】
以上説明したように、前週の同じ時刻に視聴していた番組に即座に切り替えることが可能である。
【００９０】
尚、本発明のテレビジョン装置は、上記した実施形態に限定されるものではなく、本発明の要旨を逸脱しない範囲内において種々変更を加え得ることは勿論である。
【図面の簡単な説明】
【００９１】
【図１】本発明に係るテレビジョン装置の基本ブロック図である。
【図２】本発明に係るテレビジョン装置の基本動作を説明する説明図である。
【図３】メモリ１８の論理メモリマップを示す図である。
【図４】ユーザ操作によるキー入力に対応するキー処理を含むメインルーチンのフロー図である。
【図５】電源ＯＮ／ＯＦＦ処理を示すフロー図である。
【図６】通常のチャンネル切り替えキーの入力処理を示すフロー図である。
【図７】ＬＡＳＴＷＥＥＫキーが入力された場合の処理を示すフロー図である。
【図８】日付が替わった場合の処理を示すフロー図である。
【符号の説明】
【００９２】
１０  アンテナ
１１  チューナ
１２  検波回路
１３  音声処理回路
１４  スピーカ
１５  映像処理回路
１６  表示部
１７  制御部
１８  メモリ
１９  時計部
２０  受光回路部
２１  リモコン
【図１】
2007158781.tif 000003
【図２】
2007158781.tif 000004
【図３】
2007158781.tif 000005
【図４】
2007158781.tif 000006
【図５】
2007158781.tif 000007
【図６】
2007158781.tif 000008
【図７】
2007158781.tif 000009
【図８】
2007158781.tif 000010